(57)【要約】【課題】  遊技機への遊技媒体の補給の遅れを回避することができ、遊技媒体の貯留量が必要以上に増加して遊技媒体の循環が悪くなるという事態を回避することができる遊技機島台を提供する。【解決方法】  所定条件の成立に応じて補給樋８０ａ，８０ｂに貯留されるパチンコ玉の貯留量を基準量よりも増加させた状態と、増加させた貯留量を基準量に減少させた状態とに変更する貯留量変更装置を設けたことにより、補給樋８０ａ，８０ｂ内でのパチンコ玉の循環スピードが速い場合には、補給樋８０ａ，８０ｂ内のパチンコ玉の貯留量を基準量よりも増加させることでパチンコ機２へのパチンコ玉の補給が遅れることを回避でき、補給樋８０ａ，８０ｂ内でのパチンコ玉の循環スピードが遅い場合には、パチンコ玉の貯留量を基準量に減少させることで補給樋８０ａ，８０ｂ内のパチンコ玉が必要以上に増加してパチンコ玉の循環が悪くなることを回避できる。【選択図】        図８
2005342367.tif 000002
【特許請求の範囲】
【請求項１】
遊技機で使用する遊技媒体を研磨しながら揚送する遊技媒体研磨揚送装置と、該遊技媒体研磨揚送装置により揚送された前記遊技媒体を受け入れる上部タンクと、該上部タンクの両側方から外側に向けて延設され且つ該上部タンクで受け入れた前記遊技媒体を前記遊技機に補給する一対の補給樋と、が設けられた遊技機島台において、
所定条件の成立に応じて前記補給樋に貯留される前記遊技媒体の貯留量を予め定めた基準量よりも増加させた状態と、増加させた前記遊技媒体の貯留量を前記基準量に減少させた状態とに変更する貯留量変更装置を設けたことを特徴とする遊技機島台。
【請求項２】
前記貯留量変更装置は、
前記上部タンクと前記補給樋との間に設けられ且つ開閉することにより該上部タンク内の前記遊技媒体の前記補給樋への流入量を変化させるシャッターと、
前記補給樋の下流端に設けられ且つ開放することにより該補給樋内の前記遊技媒体を該補給樋から抜き取るストッパーと、から構成され、
前記遊技機島台には、前記シャッターを開放すると共に前記ストッパーを閉塞するための増加操作スイッチと、前記シャッターを閉塞すると共に前記ストッパーを開放するための減少操作スイッチと、が設けられ、
前記増加操作スイッチの操作によって前記シャッターが開放されると共に前記ストッパーが閉塞されることにより、前記補給樋に貯留される前記遊技媒体の貯留量を前記基準量よりも増加させ、
前記減少操作スイッチの操作によって前記シャッターが閉塞されると共に前記ストッパーが開放されることにより、増加させた前記遊技媒体の貯留量を前記基準量に減少させることを特徴とする請求項１記載の遊技機島台。
【請求項３】
前記貯留量変更装置は、
前記上部タンクと前記補給樋との間に設けられ且つ開閉することにより該上部タンク内の前記遊技媒体の前記補給樋への流入量を変化させるシャッターと、
前記補給樋の下流端に設けられ且つ開放することにより該補給樋内の前記遊技媒体を該補給樋から抜き取るストッパーと、から構成され、
前記遊技機島台には、前記遊技機から排出されるアウト玉を回収するアウト玉回収樋と、該アウト玉回収樋の下流端に設けられ且つ前記アウト玉を検出する検出装置と、が設けられ、
前記検出装置が検出する前記アウト玉の個数が予め定めた数値以上のときに、前記シャッターが開放されると共に前記ストッパーが閉塞されることにより、前記補給樋に貯留される前記遊技媒体の貯留量が前記基準量よりも増加し、
前記検出装置が検出する前記アウト玉の個数が予め定めた数値未満のときに、前記シャッターが閉塞されると共に前記ストッパーが開放されることにより、増加させた前記遊技媒体の貯留量が前記基準量に減少することを特徴とする請求項１記載の遊技機島台。
【請求項４】
前記上部タンクには、前記遊技媒体研磨揚送装置により揚送された前記遊技媒体を前記一対の補給樋に所定の振分割合で振り分ける振分装置が設けられ、
前記一対の補給樋のうちいずれか一方の補給樋に貯留される前記遊技媒体の貯留量を前記貯留量変更装置によって予め定めた基準量よりも増加させるとき、
前記振分装置は、前記一方の補給樋へ送られる前記遊技媒体の量が他方の補給樋へ送られる前記遊技媒体の量よりも多くなるよう前記振分割合を変更する振分割合変更手段を設けたことを特徴とする請求項１乃至請求項３のいずれかに記載の遊技機島台。
【請求項５】
前記振分装置は、その上面に長手方向のほぼ中央から両側方に向けてそれぞれ下り傾斜する２つの傾斜面で構成される振分山が長手方向にスライド移動可能に形成されると共に、長手方向が前記一対の補給樋と平行となるように該一対の補給樋の上流端の間に設置され、
前記遊技媒体研磨揚送装置により揚送された前記遊技媒体は、前記振分山に向けて落下すると共に、前記２つの傾斜面によってそれぞれの傾斜面側に位置する前記補給樋に振り分けられ、
前記振分割合変更手段は、前記振分山を長手方向にスライド移動させて前記２つの傾斜面への前記遊技媒体の落下量の割合を変化させることにより、前記一対の補給樋のうちそれぞれの補給樋へ送られる前記遊技媒体の量を変化させることを特徴とする請求項４記載の遊技機島台。
【発明の詳細な説明】
【技術分野】
【０００１】
本発明は、遊技機で使用する遊技媒体を研磨しながら揚送する遊技媒体研磨揚送装置と、該遊技媒体研磨揚送装置により揚送された前記遊技媒体を受け入れる上部タンクと、該上部タンクの両側方から外側に向けて延設され且つ該上部タンクで受け入れた前記遊技媒体を前記遊技機に補給する一対の補給樋と、が設けられた遊技機島台に関するものである。
【背景技術】
【０００２】
周知のように、パチンコ機（遊技機）等が設置されるパチンコ島台（遊技機島台）の内部には、玉磨き揚送装置（遊技媒体研磨揚送装置）によって上部タンクに揚送されたパチンコ玉をパチンコ機に補給するための補給樋が備えられているが、従来、この補給樋に貯留されるパチンコ玉の貯留量は一定であった。このように、従来のパチンコ島台においては、補給樋に貯留されるパチンコ玉の貯留量が一定であったため、パチンコ機へのパチンコ玉の供給が間に合わないことがあった。具体的には、例えば、パチンコ島台に設置されるパチンコ機すべてが稼動状態となり、なお且つパチンコ島台内のパチンコ機の半数以上で一斉に大当りとなったような場合には、大当りとなったパチンコ機に大量のパチンコ玉が補給されて補給樋内のパチンコ玉が不足し、パチンコ玉が補給されないパチンコ機が発生してしまうという状態である。
【０００３】
そこで、上記したような、パチンコ機へ補給するパチンコ玉が不足するという事態に対処するものとして、補給樋に予め大量のパチンコ玉を貯留しておくというものが提案されている（例えば、特許文献１）。
【特許文献１】特開平１１−４４２号公報
【発明の開示】
【発明が解決しようとする課題】
【０００４】
ところが、上記した特許文献１に開示される補給樋では、パチンコ島台内のパチンコ機の半数以上で一斉に大当りとなったときのように、パチンコ機に大量のパチンコ玉が補給されて、補給樋内でのパチンコ玉の循環スピードが速い場合には効果があるが、一方、パチンコ機の稼動状態が悪くパチンコ玉の補給量が少ない場合には、補給樋内でのパチンコ玉の循環スピードが遅くなり、補給樋内に大量に貯留されているパチンコ玉はその貯留時間が長くなる。このため、補給樋内に貯留されている間にパチンコ玉に塵や埃が付着する等により汚れてしまい、これにより遊技者に綺麗なパチンコ玉を提供できないという問題があった。従って、上記したような、パチンコ機に大量のパチンコ玉が補給されるとき等、必要な場合にのみ補給樋でのパチンコ玉の貯留量を増加させるのが理想である。
【０００５】
そこで、本発明は、上記した事情に鑑みなされたもので、その目的とするところは、必要に応じて補給樋内の遊技媒体の貯留量を増減させることにより、遊技機への遊技媒体の補給が遅れるという事態を回避することができると共に、補給樋内の遊技媒体の貯留量が必要以上に増加して補給樋内の遊技媒体の循環が悪くなるという事態を回避することができる遊技機島台を提供することにある。
【課題を解決するための手段】
【０００６】
そこで、請求項１に係る発明について、図面を参照して説明すると、図５，図８，図９及び図１１に示すように、パチンコ機（遊技機）２で使用するパチンコ玉（遊技媒体）を研磨しながら揚送する玉磨き揚送装置（遊技媒体研磨揚送装置）１０と、該玉磨き揚送装置１０により揚送された前記パチンコ玉を受け入れる上部タンク４と、該上部タンク４の両側方から外側に向けて延設され且つ該上部タンク４で受け入れた前記パチンコ玉を前記パチンコ機２に補給する一対の補給樋８０ａ，８０ｂと、が設けられたパチンコ島台（遊技機島台）１において、所定条件の成立に応じて前記補給樋８０ａ，８０ｂに貯留される前記パチンコ玉の貯留量を予め定めた基準量よりも増加させた状態と、増加させた前記パチンコ玉の貯留量を前記基準量に減少させた状態とに変更する貯留量変更装置を設けたことを特徴とするパチンコ島台１とした。
【０００７】
また、請求項２に係る発明では、図面を参照して説明すると、図５，図６及び図８に示すように、請求項１に記載されるパチンコ島台１は、前記貯留量変更装置は、前記上部タンク４と前記補給樋８０ａ，８０ｂとの間に設けられ且つ開閉することにより該上部タンク４内の前記パチンコ玉の前記補給樋８０ａ，８０ｂへの流入量を変化させる補給樋シャッター（シャッター）８９ａ，８９ｂと、前記補給樋８０ａ，８０ｂの下流端に設けられ且つ開放することにより該補給樋８０ａ，８０ｂ内の前記パチンコ玉を該補給樋８０ａ，８０ｂから抜き取る玉抜きストッパー（ストッパー）８７ａ，８７ｂと、から構成され、前記パチンコ島台１には、前記補給樋シャッター８９ａ，８９ｂを開放すると共に前記玉抜きストッパー８７ａ，８７ｂを閉塞するための「大」スイッチ（増加操作スイッチ）１１１ａ，１１１ｂと、前記補給樋シャッター８９ａ，８９ｂを閉塞すると共に前記玉抜きストッパー８７ａ，８７ｂを開放するための「通常」スイッチ（減少操作スイッチ）１１２ａ，１１２ｂと、が設けられ、前記「大」スイッチ１１１ａ，１１１ｂの操作によって前記補給樋シャッター８９ａ，８９ｂが開放されると共に前記玉抜きストッパー８７ａ，８７ｂが閉塞されることにより、前記補給樋８０ａ，８０ｂに貯留される前記パチンコ玉の貯留量を前記基準量よりも増加させ、前記「通常」スイッチ１１２ａ，１１２ｂの操作によって前記補給樋シャッター８９ａ，８９ｂが閉塞されると共に前記玉抜きストッパー８７ａ，８７ｂが開放されることにより、増加させた前記パチンコ玉の貯留量を前記基準量に減少させることを特徴とするパチンコ島台１とした。
【０００８】
また、請求項３に係る発明では、図面を参照して説明すると、図９及び図１１に示すように、請求項１に記載されるパチンコ島台１は、前記貯留量変更装置は、前記上部タンク４と前記補給樋８０ａ，８０ｂとの間に設けられ且つ開閉することにより該上部タンク４内の前記パチンコ玉の前記補給樋８０ａ，８０ｂへの流入量を変化させる補給樋シャッター８９ａ，８９ｂと、前記補給樋８０ａ，８０ｂの下流端に設けられ且つ開放することにより該補給樋８０ａ，８０ｂ内の前記パチンコ玉を該補給樋８０ａ，８０ｂから抜き取る玉抜きストッパー８７ａ，８７ｂと、から構成され、前記パチンコ島台１には、前記パチンコ機２から排出されるアウト玉を回収するアウト玉回収樋９０ａ，９０ｂと、該アウト玉回収樋９０ａ，９０ｂの下流端に設けられ且つ前記アウト玉を検出するアウト玉センサ（検出装置）９１ａ，９１ｂと、が設けられ、前記アウト玉センサ９１ａ，９１ｂが検出する前記アウト玉の個数が予め定めた数値以上のときに、前記補給樋シャッター８９ａ，８９ｂが開放されると共に前記玉抜きストッパー８７ａ，８７ｂが閉塞されることにより、前記補給樋８０ａ，８０ｂに貯留される前記パチンコ玉の貯留量が前記基準量よりも増加し、前記アウト玉センサ９１ａ，９１ｂが検出する前記アウト玉の個数が予め定めた数値未満のときに、前記補給樋シャッター８９ａ，８９ｂが閉塞されると共に前記玉抜きストッパー８７ａ，８７ｂが開放されることにより、増加させた前記パチンコ玉の貯留量が前記基準量に減少することを特徴とするパチンコ島台１とした。
【０００９】
また、請求項４に係る発明では、図面を参照して説明すると、図４，図８及び図１１に示すように、請求項１乃至請求項３のいずれかに記載されるパチンコ島台１は、前記上部タンク４には、前記玉磨き揚送装置１０により揚送された前記パチンコ玉を前記一対の補給樋８０ａ，８０ｂに所定の振分割合で振り分ける振分装置６０が設けられ、前記一対の補給樋８０ａ，８０ｂのうちいずれか一方の補給樋８０ａに貯留される前記パチンコ玉の貯留量を前記貯留量変更装置によって予め定めた基準量よりも増加させるとき、前記振分装置６０は、前記一方の補給樋８０ａへ送られる前記パチンコ玉の量が他方の補給樋８０ｂへ送られる前記パチンコ玉の量よりも多くなるよう前記振分割合を変更する振分割合変更手段を設けたことを特徴とするパチンコ島台１とした。
【００１０】
また、請求項５に係る発明では、図面を参照して説明すると、図４，図８及び図１１に示すように、請求項４に記載されるパチンコ島台１は、前記振分装置６０は、その上面に長手方向のほぼ中央から両側方に向けてそれぞれ下り傾斜する２つの傾斜面６７，６８で構成される振分山６６が長手方向にスライド移動可能に形成されると共に、長手方向が前記一対の補給樋８０ａ，８０ｂと平行となるように該一対の補給樋８０ａ，８０ｂの上流端の間に設置され、前記玉磨き揚送装置１０により揚送された前記パチンコ玉は、前記振分山６６に向けて落下すると共に、前記２つの傾斜面６７，６８によってそれぞれの傾斜面６７，６８側に位置する前記補給樋８０ａ，８０ｂに振り分けられ、前記振分割合変更手段は、前記振分山６６を長手方向にスライド移動させて前記２つの傾斜面６７，６８への前記パチンコ玉の落下量の割合を変化させることにより、前記一対の補給樋８０ａ，８０ｂのうちそれぞれの補給樋８０ａ，８０ｂへ送られる前記パチンコ玉の量を変化させることを特徴とするパチンコ島台１とした。
【発明の効果】
【００１１】
請求項１に係る発明においては、玉磨き揚送装置１０によって揚送されたパチンコ玉をパチンコ機２に補給する補給樋８０ａ，８０ｂが設けられ、この補給樋８０ａ，８０ｂに貯留されるパチンコ玉の貯留量を予め定めた基準量よりも増加させ、及び増加させたパチンコ玉の貯留量を基準量に減少させる貯留量変更装置を設けた。このように構成することにより、パチンコ島台１に設置される稼動状態のパチンコ機２へのパチンコ玉の補給量が多く（例えば、稼働状態のパチンコ機２の台数が多い場合等）、補給樋８０ａ，８０ｂ内でのパチンコ玉の循環スピードが速い場合には、貯留量変更装置によって補給樋８０ａ，８０ｂに貯留されるパチンコ玉の貯留量を予め定めた基準量よりも増加させることで、パチンコ機２へのパチンコ玉の補給が遅れるという事態を回避することができる。
【００１２】
また、パチンコ島台１に設置される稼動状態のパチンコ機２へのパチンコ玉の補給量が少なく（例えば、稼働状態のパチンコ機２の台数が少ない場合等）、補給樋８０ａ，８０ｂ内でのパチンコ玉の循環スピードが遅い場合には、貯留量変更装置によってパチンコ玉の貯留量を基準量に減少させることにより、補給樋８０ａ，８０ｂ内に貯留されるパチンコ玉が必要以上に増加して補給樋８０ａ，８０ｂ内のパチンコ玉の循環が悪くなるという事態を回避することができ、ひいては、遊技者により綺麗なパチンコ玉を提供することができる。
【００１３】
このように、貯留量変更装置によって必要に応じて補給樋８０ａ，８０ｂ内のパチンコ玉の貯留量を増減させることにより、パチンコ機２へのパチンコ玉の補給が遅れるという事態を回避することができると共に、補給樋８０ａ，８０ｂ内のパチンコ玉の貯留量が必要以上に増加して補給樋８０ａ，８０ｂ内のパチンコ玉の循環が悪くなるという事態を回避することができる。
【００１４】
請求項２に係る発明においては、貯留量変更装置は、パチンコ玉の補給樋８０ａ，８０ｂへの流入量を変化させる補給樋シャッター８９ａ，８９ｂと、補給樋８０ａ，８０ｂ内のパチンコ玉を補給樋８０ａ，８０ｂから抜き取る玉抜きストッパー８７ａ，８７ｂと、から構成され、パチンコ島台１には、補給樋シャッター８９ａ，８９ｂ及び玉抜きストッパー８７ａ，８７ｂを開閉するための「大」スイッチ１１１ａ，１１１ｂ及び「通常」スイッチ１１２ａ，１１２ｂが設けられ、「大」スイッチ１１１ａ，１１１ｂを操作することによって補給樋シャッター８９ａ，８９ｂが開放すると共に玉抜きストッパー８７ａ，８７ｂが閉塞することにより、補給樋８０ａ，８０ｂに貯留されるパチンコ玉の貯留量が基準量よりも増加し、「通常」スイッチ１１２ａ，１１２ｂを操作することによって補給樋シャッター８９ａ，８９ｂが閉塞すると共に玉抜きストッパー８７ａ，８７ｂが開放することにより、増加させたパチンコ玉の貯留量が基準量に減少する。このように構成することにより、「大」スイッチ１１１ａ，１１１ｂ及び「通常」スイッチ１１２ａ，１１２ｂを操作することにより、補給樋シャッター８９ａ，８９ｂ及び玉抜きストッパー８７ａ，８７ｂを開閉させることができるため、補給樋８０ａ，８０ｂ内のパチンコ玉の循環スピードに応じて（実際には、外部から補給樋８０ａ，８０ｂ内のパチンコ玉の循環スピードは正確には分からない、従って、ここでは、「遊技店側の目視による遊技客の滞在状況の観察に基づいて想定した補給樋８０ａ，８０ｂ内のパチンコ玉の循環スピードに応じて」という意味）、「大」スイッチ１１１ａ，１１１ｂ及び「通常」スイッチ１１２ａ，１１２ｂを操作するだけで、容易に補給樋８０ａ，８０ｂ内のパチンコ玉の貯留量を増減させることができる。
【００１５】
請求項３に係る発明においては、貯留量変更装置は、パチンコ玉の補給樋８０ａ，８０ｂへの流入量を変化させる補給樋シャッター８９ａ，８９ｂと、補給樋８０ａ，８０ｂ内のパチンコ玉を補給樋８０ａ，８０ｂから抜き取る玉抜きストッパー８７ａ，８７ｂと、から構成され、パチンコ島台１には、該パチンコ島台１に設置される複数のパチンコ機２から排出されるアウト玉を回収するアウト玉回収樋９０ａ，９０ｂと、アウト玉を検出するアウト玉センサ９１ａ，９１ｂと、が設けられ、アウト玉センサ９１ａ，９１ｂが検出するアウト玉の個数が予め定めた数値以上のときに、補給樋シャッター８９ａ，８９ｂが開放すると共に玉抜きストッパー８７ａ，８７ｂが閉塞することにより、補給樋８０ａ，８０ｂに貯留されるパチンコ玉の貯留量が基準量よりも増加し、アウト玉センサ９１ａ，９１ｂが検出するアウト玉の個数が予め定めた数値未満のときに、補給樋シャッター８９ａ，８９ｂが閉塞すると共に玉抜きストッパー８７ａ，８７ｂが開放することにより、増加させたパチンコ玉の貯留量が基準量に減少する。このように構成することにより、パチンコ島台１に設置される複数のパチンコ機２から排出されるアウト玉数によって補給樋シャッター８９ａ，８９ｂ及び玉抜きストッパー８７ａ，８７ｂが開閉するため、補給樋８０ａ，８０ｂ内のパチンコ玉の循環スピードに応じて（例えば、「パチンコ島台１に設置される複数のパチンコ機２から排出されるアウト玉数に基づいて算出したパチンコ島台１における稼働状態のパチンコ機２の台数から想定した補給樋８０ａ，８０ｂ内のパチンコ玉の循環スピードに応じて」という意味）、自動的に補給樋８０ａ，８０ｂ内のパチンコ玉の貯留量を増減させることができる。
【００１６】
請求項４に係る発明においては、上部タンク４にはパチンコ玉を一対の補給樋８０ａ，８０ｂに所定の振分割合で振り分ける振分装置６０が設けられ、貯留量変更装置によって一方の補給樋８０ａの補給樋シャッター８９ａが開放されると共に玉抜きストッパー８７ａが閉塞されて一方の補給樋８０ａに貯留されるパチンコ玉の貯留量を予め定めた基準量よりも増加させるとき、振分装置６０は、一方の補給樋８０ａへ送られるパチンコ玉の量が他方の補給樋８０ｂへ送られるパチンコ玉の量よりも多くなるような振分割合に振分割合変更手段によって変更する。このように構成することにより、貯留量変更装置によってパチンコ玉の貯留量を基準量よりも増加させることとなった補給樋８０ａに積極的にパチンコ玉が振り分けられるため、即ち、多量のパチンコ玉が送られるため、当該補給樋８０ａでのパチンコ玉の貯留量の増加を迅速に行なうことができる。
【００１７】
請求項５に係る発明においては、振分装置６０は、その上面に２つの傾斜面６７，６８で構成される振分山６６が長手方向にスライド移動可能に形成されると共に一対の補給樋８０ａ，８０ｂの上流端の間に設置され、玉磨き揚送装置１０から排出されて振分山６６に向けて落下したパチンコ玉が２つの傾斜面６７，６８によってそれぞれの傾斜面６７，６８側に位置する補給樋８０ａ，８０ｂに振り分けられ、振分割合変更手段は、振分山６６を長手方向にスライド移動させて傾斜面６７，６８へのパチンコ玉の落下量の割合を変化させることにより、一対の補給樋８０ａ，８０ｂのうちそれぞれの補給樋８０ａ，８０ｂへ送られるパチンコ玉の量が変化する。このように構成することにより、２つの傾斜面６７，６８が形成された振分山６６を一対の補給樋８０ａ，８０ｂのいずれかの方向に移動させるというだけの簡単な構成によって、一対の補給樋８０ａ，８０ｂへのパチンコ玉の振り分けを振分装置６０の振分割合通りに確実に行なうことができる。
【発明を実施するための最良の形態】
【００１８】
以下、図面を参照して本発明の実施形態について説明する。まず、図１を参照して玉磨き揚送装置（遊技媒体研磨揚送装置）１０が設置されるパチンコ島台（遊技島）１の概要について説明する。図１は、複数のパチンコ島台１を示す斜視図である。なお、以下の説明において、パチンコ島台１の長手方向（パチンコ機２の左右方向）を左右方向、この左右方向と直交する方向（パチンコ機２の奥行き方向）を前後方向という場合がある。また、玉磨き揚送装置１０を挟んで優先貯留タンク１０２ａが設置されている側を優先側、非優先貯留タンク１０２ｂが設置されている側を非優先側という場合がある。
【００１９】
図１において、パチンコ島台１は、周知のように、直方体状に枠組み構成され、その長手方向両面に複数のパチンコ機（遊技機）２を背向列設するようになっている。パチンコ島台１のほぼ中央には、玉磨き揚送装置１０（図２参照）が内部に設置される玉磨き揚送装置収納部３が設けられている。本実施形態に係る玉磨き揚送装置１０は、帯状の搬送ベルト１４（図２参照）によってパチンコ玉（遊技媒体）を揚送するものであり、パチンコ島台１の長手方向と直交するように配置されて下部の導入樋２０（図２参照）から導入されたパチンコ玉を研磨部材（図示しない）によって研磨しながら上部に揚送し、上部の排出樋部２２（図２参照）から上部タンク４に排出するものである。玉磨き揚送装置１０により上部タンク４に揚送されたパチンコ玉は、上部タンク４に接続された補給樋８０ａ，８０ｂによってパチンコ機２の背面上部に設けられた賞球タンク（図示しない）に供給され、景品玉や遊技玉として使用される。
【００２０】
一方、パチンコ機２で使用されたパチンコ玉は、パチンコ機２の下方に設けられたアウト玉回収樋９０ａ，９０ｂ（図５，９参照）により回収された後、誘導樋１０７ａ，１０７ｂの下流側に誘導され、後述する貯留タンク（優先貯留タンク）１０２ａ，（非優先貯留タンク）１０２ｂ内に貯留されたパチンコ玉でミニコンベア１０６ａ，１０６ｂ（図５，９参照）によって誘導樋１０７ａ，１０７ｂ（図５，９参照）に揚送されたパチンコ玉と誘導樋１０７ａ，１０７ｂの下流部で合流される。そして、この合流されたパチンコ玉は、導入樋２０から玉磨き揚送装置１０に誘導され、再び玉磨き揚送装置１０によって上部タンク４へ揚送される。これによってパチンコ玉がパチンコ島台１内を循環する。なお、誘導樋１０７ａ，１０７ｂの下流部で、誘導樋１０７ａ，１０７ｂ内のパチンコ玉と、アウト玉回収樋９０ａ，９０ｂにより回収されたパチンコ玉とが合流するが、パチンコ玉の性質上、誘導樋１０７ａ，１０７ｂの上方から投入されるアウト玉回収樋９０ａ，９０ｂにより回収されたパチンコ玉の方が、誘導樋１０７ａ，１０７ｂ内のパチンコ玉よりも優先して導入樋２０へ誘導される。つまり、パチンコ機２で使用され且つ汚れたパチンコ玉であるアウト玉回収樋９０ａ，９０ｂにより回収されたパチンコ玉の方を優先的に玉磨き揚送装置１０へ誘導しているのである。
【００２１】
また、パチンコ島台１の長手方向の一端部には、遊技者が獲得した賞品玉を返却して計数するための玉返却装置５が備え付けられている。この玉返却装置５は、非優先貯留タンク１０２ｂが内蔵される端部に設けられることが望ましい。これは、通常の営業状態でほとんど満杯状態となることのない非優先貯留タンク１０２ｂの方が、玉返却装置５からの賞球の返却を確実に行うことができるからである。しかして、玉返却装置５に返却されたパチンコ玉は、図５，９に示すように、非優先貯留タンク１０２ｂに備えられた誘導樋１０８によって非優先貯留タンク１０２ｂ内に誘導され、貯留されることとなる。
【００２２】
また、上記した玉返却装置５の上方には、優先貯留タンク１０２ａ内のパチンコ玉の貯留状態を示す優先側貯留状態表示器６ａ及び、非優先貯留タンク１０２ｂ内のパチンコ玉の貯留状態を示す非優先側貯留状態表示器６ｂが備えられている。優先側貯留状態表示器６ａは、優先貯留タンク１０２ａ内に設けられた第１貯留センサ１０３ａ，第２貯留センサ１０４ａ，第３貯留センサ１０５ａがパチンコ玉を検出することにより発信する検出信号に対応して、点灯されることにより優先貯留タンク１０２ａ内のパチンコ玉の貯留状態を把握するためのものである。
【００２３】
同様に、非優先側貯留状態表示器６ｂは、非優先貯留タンク１０２ｂ内に設けられた第４貯留センサ１０３ｂ，第５貯留センサ１０４ｂ，第６貯留センサ１０５ｂがパチンコ玉を検出することにより発信する検出信号に対応して、点灯されることにより非優先貯留タンク１０２ｂ内のパチンコ玉の貯留状態を把握するためのものである。
【００２４】
更に、優先側貯留状態表示器６ａ，非優先側貯留状態表示器６ｂの上方には、代表ランプ７が設けられている。この代表ランプ７は、パチンコ機２に設けられたスイッチ（図示しない）を遊技者が押すことにより点灯するものであり、パチンコ機２で玉詰まりを起こしたとき等に遊技者が遊技場の係員にその旨を報知するためのものである。
【００２５】
次に、上記した玉磨き揚送装置１０の全体の構成について図２を参照して説明する。図２は、実施形態に係る玉磨き揚送装置１０の斜視図である。
【００２６】
図２において、玉磨き揚送装置１０は、厚肉の鋼板で形成された支持台１１の上部に支持台１１と同じ材料で形成された揚送筒支持部材（図示しない）が溶接固定され、この揚送筒支持部材に揚送筒本体１２が垂直状に立設されている。そして、揚送筒本体１２の下部に位置する下部ローラ１３と上部に位置する上部ローラ２９との間に掛け渡される革製の搬送ベルト１４が、揚送筒本体１２の周囲を周回するようになっている。この揚送筒本体１２は、その断面形状が一側面の開口した長方形状であり、この開口面には、この開口面を閉塞するための揚送筒カバー（図示しない）が取り付けられるため、開口面の両側には、揚送筒カバーを取り付けるための図示しない取付ネジ穴（図示しない）が穿設されている。また、揚送筒カバーにも図示しない取付穴が穿設されており、取付穴に取付ネジを挿通し、前記取付ネジ穴に螺着することにより揚送筒カバーが揚送筒本体１２の開口面に取り付けられる。この揚送筒カバーは、揚送筒本体１２の上端から後述するベース部材３３の上端に亘って揚送筒本体１２の開口面を閉塞するものであり、揚送筒本体１２内部の上部及び中央部に位置する中間ローラ（図示しない）や上部ローラ２９の清掃，修理，交換時あるいは揚送筒本体１２内のトラブル時などに揚送筒カバーを取り外して修理，交換作業あるいはトラブルに対する対処を行うことができるものである。
【００２７】
また、前記搬送ベルト１４は、モータ内蔵の下部ローラ１３の回転により揚送筒本体１２の周囲を周回駆動するものである。この搬送ベルト１４に張力を付与するために、搬送ベルト１４が交互に当接する上部テンションローラ１７，中間テンションローラ１８及び下部テンションローラ１９からなるテンション機構１６が、揚送筒本体１２の開口面側にベース部材３３を介して取り付けられている。また、下部ローラ１３の下部には、流入するパチンコ玉を複数列に整列せしめる導入樋２０が設置され、揚送筒本体１２の上方には、玉磨き後のパチンコ玉が排出される排出樋部２２が一体的に形成される上部屈曲樋２１が接続されている。
【００２８】
しかして、前記導入樋２０から流入されたパチンコ玉は、搬送ベルト１４の周回駆動により下部ローラ１３から上部ローラ２９に向かって揚送された後、排出樋部２２から排出されるが、その揚送される過程で後述するガイドレール２４に周設される布ベルト（図示しない）との摩擦力によってパチンコ玉に付着した汚れが拭き取られ、排出樋部２２からは、奇麗にされたパチンコ玉が排出されることとなる。なお、導入樋２０には、導入樋２０の傾斜角を調整する傾斜角調整ボルト２３が取り付けられている。この傾斜角調整ボルト２３には、コイルスプリングが周設されており、内部を流れるパチンコ玉によって導入樋２０に無理な力が加わったときでもパチンコ玉がスムーズに整列されるような構造になっている。
【００２９】
一方、前記した揚送筒本体１２の後面側には、揚送筒本体１２の一側面に取り付けられた支持ヒンジ３２を介して、ガイドレール２４が開閉可能に取り付けられている。この支持ヒンジ３２は、揚送筒本体１２の垂直方向に亘って複数箇所（本実施形態の場合、４箇所）設けられている。また、揚送筒本体１２のもう一方の側面には、止め金具２５が係止金具２６を介して取り付けられており、ガイドレール２４には、前記止め金具２５に対応する位置にその止め金具２５を係止するための係合突起２７が設けられている。
【００３０】
このガイドレール２４には、その後面側に布ベルトの一端を係止する布ベルト固定係止部材２８と布ベルトの他端を引張係止する引張係止部材３４とが取り付けられ、その上端部に布ベルトを折り返し案内するための布ベルトローラ３１が布ベルトローラ固定部材３０により取り付けられている。しかして、布ベルト固定係止部材２８に係止された布ベルトは、ガイドレール２４の下端からガイドレール２４内を通って布ベルトローラ３１に掛け渡され、引張係止部材３４に引張係止される。
【００３１】
また、前述のように、ガイドレール２４は、揚送筒本体１２に対して開閉可能に取り付けられているため、前記搬送ベルト１４や布ベルトの玉磨き揚送装置１０への装着は、ガイドレール２４を支持ヒンジ３２の支点を中心に回転させて開くことにより行うことができる。このようにして搬送ベルト１４や布ベルトを装着し、ガイドレール２４が閉じられた状態で揚送筒本体１２とガイドレール２４を止め金具２５により係止することによって、搬送ベルト１４と布ベルトが対面した状態で維持される。このようにガイドレール２４が閉じられ、止め金具２５により係止された状態では、揚送筒本体１２とガイドレール２４との間には、隙間が形成されることとなるが、この隙間は、係止金具２６の固着位置を調整することによってその寸法を設定することができ、その設定値に応じて揚送されるパチンコ玉への圧力を変化させることができる。
【００３２】
しかして、このように搬送ベルト１４及び布ベルトを装着した状態でガイドレール２４を閉じ、係合突起２７に止め金具２５を係止させてガイドレール２４を揚送筒本体１２に装着させた後、搬送ベルト１４を周回動作させることにより、パチンコ玉が、布ベルトに汚れを拭き取られながら上昇するものである。
【００３３】
なお、営業終了時には、前記布ベルト固定係止部材２８を緩めて布ベルトが移動し得るようにした状態で、裏面上部の布ベルトを引っ張って未使用面をガイドレール２４の前面側に位置させるようにし、その後、布ベルト固定係止部材２８と引張係止部材３４とを順次操作して布ベルトを係止することによって、翌日の研磨に対する準備が終了する。また、この布ベルトの巻取作業は、ガイドレール２４を揚送筒本体１２から開いた状態でも、あるいは閉じたままの状態でも行うことができるが、新規な布ベルトに交換する場合には、ガイドレール２４を揚送筒本体１２から開いた状態で行う必要がある。
【００３４】
次に、パチンコ島台１の構成について、図３乃至図７を参照して説明する。図３は、玉磨き揚送装置１０が設置された状態での上部タンク４の内部を示す斜視図であり、図４は、上部タンク４の内部に設置された振分装置６０及び上部タンク４内でのパチンコ玉の流れを示す斜視図であり、図５は、第１実施形態に係るパチンコ島台１の構成を示す概略図であり、図６は、パチンコ島台１に設けられるスイッチボックス１１０の正面図であり、図７は、第１実施形態に係る貯留量変更装置を制御するための制御基板１１５の制御系を示すブロック図である。
【００３５】
まず、パチンコ島台１の中央上部に設けられた上部タンク４について説明すると、上部タンク４は、図３に示すように、玉磨き揚送装置１０の上方に位置する上面板４０（図２参照），玉磨き揚送装置１０の玉排出側に位置する後面板４１，玉磨き揚送装置１０の背面側に位置する前面板４２，玉磨き揚送装置１０の両側方にそれぞれ位置する左側板４３及び右側板４４を組み合わせた立方体形状に形成されるものである。また、上部タンク４は、中仕切板５１，左仕切板５２及び右仕切板５３等によってその内部空間が仕切られて、後述する振分装置６０が設置される振分空間４５及び、玉磨き揚送装置１０の上部が位置する玉磨き揚送装置設置空間５５として形成されている。
【００３６】
上記した中仕切板５１の上部には、玉磨き揚送装置１０が設置された際に、玉磨き揚送装置１０の排出樋部２２が挿通される挿入口５４が形成されている。また、上記した後面板４１の上部であって、玉磨き揚送装置１０の排出樋部２２と対面する位置には、排出樋部２２から排出されるパチンコ玉が衝突して反射する反射面４７が形成された反射板４６が突設されている。この反射板４６の下方には、玉磨き揚送装置１０側に向けて突出する突出部４８が形成されており、この突出部４８の上面は、玉磨き揚送装置１０から排出されたパチンコ玉が転動する転動面４９が形成されている。
【００３７】
更に、上記した転動面４９の下方であって突出部４８の表面には、オーバーフロー排出口５０が形成されている。このオーバーフロー排出口５０は、補給樋８０ａ，８０ｂが玉磨き揚送装置１０から排出されたパチンコ玉で充満したとき、補給樋８０ａ，８０ｂに誘導されずに上部タンク４でオーバーフローしたパチンコ玉が誘導されるものである。このオーバーフロー排出口５０は、優先貯留タンク１０２ａ及び非優先貯留タンク１０２ｂにそれぞれ連通する、優先オーバーフロー樋１００及び非優先オーバーフロー樋１０１に連通している。
【００３８】
また、上記したオーバーフロー排出口５０の下方には、玉磨き揚送装置１０から矢印Ａに示すように排出され誘導されてきたパチンコ玉を所定の振分割合で左右方向に振り分けるための振分割合変更手段としての振分装置６０が、その長手方向が補給樋８０ａ，８０ｂと平行となるように補給樋８０ａ，８０ｂの上流端の間に備えられている。この振分装置６０は、主として、パチンコ玉を振り分けるための振分部材６１と、その上面で振分部材６１が左右方向で移動する移動台６２と、振分部材６１を長手方向である左右方向にスライド移動させるための振分モータ６５（図７に符号のみ記載）と、から構成されている。また、振分装置６０の前後方向の両側面には、パチンコ玉を左右方向に沿って誘導するための側板６３，６４が立設されている。
【００３９】
上記した振分部材６１の上面には、振分部材６１の長手方向のほぼ中央から両側方に向けてそれぞれ下り傾斜する優先側傾斜面６７及び非優先側傾斜面６８で構成される振分山６６が形成されている。
【００４０】
しかして、玉磨き揚送装置１０によって揚送され、玉磨き揚送装置１０の排出樋部２２から排出されたパチンコ玉は、反射板４６の反射面４７に衝突して反射した後に転動面４９に落下する。転動面４９を転動したパチンコ玉は、振分部材６１の振分山６６に向けて落下すると共に、優先側傾斜面６７及び非優先側傾斜面６８の２つの傾斜面によってそれぞれの傾斜面側に位置する補給樋８０ａ，８０ｂに振り分けられる。このとき、振分部材６１が中央に位置している場合には、振分山６６に向けて落下してきたパチンコ玉は、優先側傾斜面６７及び非優先側傾斜面６８によって、ほぼ同じ量のパチンコ玉を誘導する振分割合、即ち、補給樋８０ａ:補給樋８０ｂ＝５:５の振分割合で補給樋８０ａ，８０ｂに振り分けられる。
【００４１】
また、振分部材６１が補給樋８０ａ側（優先側）に移動している場合には、非優先側傾斜面６８上に落下するパチンコ玉の落下量が優先側傾斜面６７上に落下するパチンコ玉の落下量よりも多くなるため、即ち、補給樋８０ａ:補給樋８０ｂ＝１:９若しくは２:８の振分割合となり、補給樋８０ｂに振り分けられるパチンコ玉の量が増加する。一方、振分部材６１が補給樋８０ｂ側（非優先側）に移動している場合には、優先側傾斜面６７上に落下するパチンコ玉の落下量が非優先側傾斜面６８上に落下するパチンコ玉の落下量よりも多くなるため、即ち、補給樋８０ａ:補給樋８０ｂ＝９:１若しくは８:２の振分割合となり、補給樋８０ａに振り分けられるパチンコ玉の量が増加する。
【００４２】
このように、振分部材６１が長手方向にスライド移動されて優先側傾斜面６７及び非優先側傾斜面６８へのパチンコ玉の落下量の割合を変化させることにより、補給樋８０ａ，８０ｂのうちそれぞれの補給樋へ送られるパチンコ玉の量を変化させることができるため、優先側傾斜面６７及び非優先側傾斜面６８で構成された振分山６６が形成された振分装置６０の振分部材６１を補給樋８０ａ，８０ｂのいずれかの方向にスライド移動させるというだけの簡単な構成によって、補給樋８０ａ，８０ｂへのパチンコ玉の振り分けを振分装置６０の振分割合通りに確実に行なうことができる。
【００４３】
また、上記した移動台６２の左右方向の両端部には、パチンコ玉を後述する上部補給樋８１ａ，８１ｂにそれぞれ誘導するための上部導入樋７０ａ，７０ｂがそれぞれ接続されており、この上部導入樋７０ａ，７０ｂの下方には、パチンコ玉を後述する下部補給樋８２ａ，８２ｂにそれぞれ誘導するための下部導入樋７１ａ，７１ｂがそれぞれ形成されている。
【００４４】
また、上述したように、上部タンク４には、図５に示すように補給樋８０ａ，８０ｂがそれぞれ左右両側方に接続されている。この補給樋８０ａ，８０ｂは、補給樋８０ａ，８０ｂの内側に位置する上部補給樋８１ａ，８１ｂと、この上部補給樋８１ａ，８１ｂの下方から側方にかけて囲むように形成される下部補給樋８２ａ，８２ｂと、から構成されている。上部補給樋８１ａ，８１ｂは、一枚の平板によって形成されるのに対し、下部補給樋８２ａ，８２ｂは、底部を構成する底板８４ａ，８４ｂ（図４に８４ｂのみ図示）と、底板８４ａ，８４ｂの前後方向の両側方に立設される側板８３ａ，８３ｂ（図４に８３ｂのみ図示）と、によってコ字形状に形成されている。そして、上部補給樋８１ａ，８１ｂの上端が上部導入樋７０ａ，７０ｂの下端と接続され、下部補給樋８２ａ，８２ｂの上端が下部導入樋７１ａ，７１ｂの下端と接続されている。
【００４５】
上記した上部補給樋８１ａ，８１ｂと上部導入樋７０ａ，７０ｂ、及び下部補給樋８２ａ，８２ｂと下部導入樋７１ａ，７１ｂとは、上部タンク４に形成された連通口５６を介して連結されており、上部導入樋７０ａ，７０ｂ及び下部導入樋７１ａ，７１ｂ上のパチンコ玉は、この連通口５６を通って上部補給樋８１ａ，８１ｂ及び下部補給樋８２ａ，８２ｂに誘導される。この連通口５６の上方には、開閉することにより上部タンク４内のパチンコ玉の補給樋８０ａ，８０ｂへの流入量を変化させる補給樋シャッター（シャッター）８９ａ，８９ｂが設けられている。この補給樋シャッター８９ａ，８９ｂは、駆動モータ（図示しない）によってシャッター部材（図示しない）を上下動させることにより、補給樋８０ａ，８０ｂへのパチンコ玉の流入量を変化させるものである。
【００４６】
なお、この補給樋シャッター８９ａ，８９ｂは、上部導入樋７０ａ，７０ｂと上部補給樋８１ａ，８１ｂとの間で開閉するものであり、開放している場合には上部導入樋７０ａ，７０ｂ上のパチンコ玉は、優先的に、図４の矢印Ｄで示すように上部補給樋８１ａ，８１ｂへ誘導され、矢印Ｄに示すパチンコ玉の流れが混雑してくると、次は、矢印Ｂで示すように下部導入樋７１ａ，７１ｂへ誘導される。一方、補給樋シャッター８９ａ，８９ｂが閉塞している場合には上部導入樋７０ａ，７０ｂ上のパチンコ玉は、上部補給樋８１ａ，８１ｂへは誘導されずに下部導入樋７１ａ，７１ｂへのみ誘導される。即ち、補給樋シャッター８９ａ，８９ｂが閉塞している場合には、補給樋８０ａ，８０ｂへ少量のパチンコ玉が誘導され、補給樋シャッター８９ａ，８９ｂが開放している場合には、補給樋８０ａ，８０ｂへ多量のパチンコ玉が誘導される。
【００４７】
また、上記した補給樋８０ａ，８０ｂの下流端には、補給樋８０ａ，８０ｂ内に貯留されたパチンコ玉を抜き取るための玉抜き装置８６ａ，８６ｂが設けられている。この玉抜き装置８６ａ，８６ｂには、玉抜きストッパー（ストッパー）８７ａ，８７ｂが備えられており、この玉抜きストッパー８７ａ，８７ｂが開放することにより補給樋８０ａ，８０ｂ内のパチンコ玉が玉抜き通路８８ａ，８８ｂを介して、貯留タンク１０２ａ，１０２ｂへ誘導される。
【００４８】
また、上記した上部補給樋８１ａ，８１ｂの下流端には、上部補給樋８１ａ，８１ｂのパチンコ玉を検出する補給樋センサ８５ａ，８５ｂが備えられている。この補給樋センサ８５ａ，８５ｂがパチンコ玉を検出しているとき（ＯＮ）には、上部補給樋８１ａ，８１ｂにパチンコ玉が存在していることを示し、パチンコ玉を検出していないとき（ＯＦＦ）には、上部補給樋８１ａ，８１ｂにパチンコ玉がまったく存在していないことを示すものである。
【００４９】
なお、上記した優先貯留タンク１０２ａ，非優先貯留タンク１０２ｂに貯留されたパチンコ玉は、優先貯留タンク１０２ａ，非優先貯留タンク１０２ｂの側方に設けられているミニコンベア１０６ａ，１０６ｂによって揚送された後、誘導樋１０７ａ，１０７ｂを介して玉磨き揚送装置１０に送られ、玉磨き揚送装置１０によって再び上部タンク４に揚送されることとなる。
【００５０】
また、上部タンク４からパチンコ玉を補給樋８０ａ，８０ｂへパチンコ玉を誘導できなくなり、上部タンク４が充満状態になったときには、上部タンク４内のパチンコ玉は、オーバーフロー排出口５０へ誘導される。オーバーフロー排出口５０へ誘導されたパチンコ玉は、まず優先オーバーフロー樋１００を通って優先貯留タンク１０２ａへ誘導される。優先貯留タンク１０２ａが満タンとなり、優先オーバーフロー樋１００もパチンコ玉で充満した場合には、次に、オーバーフロー排出口５０へ誘導されたパチンコ玉は、非優先オーバーフロー樋１０１を通って非優先貯留タンク１０２ｂへ誘導されることとなる。
【００５１】
なお、上記した構成部品のうち、補給樋シャッター８９ａ，８９ｂ、玉抜きストッパー８７ａ，８７ｂ、補給樋センサ８５ａ，８５ｂが貯留量変更装置を構成するものである。
【００５２】
以上、パチンコ島台１及びパチンコ島台１内のパチンコ玉の流れについて説明したが、パチンコ島台１には、上記した補給樋シャッター８９ａ，８９ｂ及び玉抜きストッパー８７ａ，８７ｂを開閉動作させるための操作スイッチが設けられた、図６に示すようなスイッチボックス１１０が備えられている。このスイッチボックス１１０には、優先側の補給樋シャッター８９ａ及び玉抜きストッパー８７ａを開閉動作させるための優先側「大」スイッチ１１１ａ，優先側「通常」スイッチ１１２ａと、非優先側の補給樋シャッター８９ｂ及び玉抜きストッパー８７ｂを開閉動作させるための非優先側「大」スイッチ１１１ｂ，非優先側「通常」スイッチ１１２ｂと、が設けられている。なお、優先側「大」スイッチ１１１ａと優先側「通常」スイッチ１１２ａとは、いずれか一方が必ずＯＮにされた状態になっており、同様に、非優先側「大」スイッチ１１１ｂと非優先側「通常」スイッチ１１２ｂとは、いずれか一方が必ずＯＮにされた状態になっている。
【００５３】
なお、上記した優先側「大」スイッチ１１１ａ及び非優先側「大」スイッチ１１１ｂが増加操作スイッチを示し、優先側「通常」スイッチ１１２ａ及び非優先側「通常」スイッチ１１２ｂが減少操作スイッチを示すものである。
【００５４】
また、パチンコ島台１には、図７に示すような、貯留変更装置及び振分装置６０を制御するための制御基板１１５が設けられている。この制御基板１１５は、各種の制御処理を行うＣＰＵ１１６，ＣＰＵ１１６で実行される各種制御プログラムやデータ等を記憶するＲＯＭ１１７，ＣＰＵ１１６によって作動領域として利用される半導体メモリであるＲＡＭ１１８及び入出力ポート１１９を備えている。制御基板１１５には、補給樋センサ８５ａ，８５ｂ及びスイッチボックス１１０が入出力ポート１１９を介して接続され、補給樋センサ８５ａ，８５ｂ及びスイッチボックス１１０からの信号を受信するようになっている。また、玉抜きストッパー８７ａ，８７ｂ、補給樋シャッター８９ａ，８９ｂ及び振分モータ６５が入出力ポート１１９を介して接続され、玉抜きストッパー８７ａ，８７ｂ、補給樋シャッター８９ａ，８９ｂ及び振分モータ６５に対してそれぞれ駆動信号を送信するようになっている。このように、制御基板１１５は、補給樋センサ８５ａ，８５ｂ及びスイッチボックス１１０からの信号に基づいて、玉抜きストッパー８７ａ，８７ｂ、補給樋シャッター８９ａ，８９ｂ及び振分モータ６５を駆動制御するものである。
【００５５】
次に、貯留量変更装置によって実行される、補給樋８０ａ，８０ｂ内のパチンコ玉の貯留量を変化させる制御について、図８のフローチャートを参照して説明する。図８は、第１実施形態に係る制御基板１１５によって実行される補給樋貯留量制御処理を示すフローチャートである。
【００５６】
補給樋貯留量制御処理において、まず、ステップＳ１０で優先側「通常」スイッチ１１２ａがＯＮにされたか否かが判別される。ステップＳ１０で優先側「通常」スイッチ１１２ａがＯＮにされたと判別された場合（ステップＳ１０のＹＥＳ）、ステップＳ１１で優先側の補給樋シャッター８９ａが閉塞される。優先側の補給樋シャッター８９ａが閉塞されると、ステップＳ１２で優先側の補給樋センサ８５ａがＯＮしているか否か、即ち、優先側の補給樋８０ａにパチンコ玉が貯留されているか否かが判別される。優先側の補給樋センサ８５ａがＯＮしていると判別された場合（ステップＳ１２のＹＥＳ）、ステップＳ１３で優先側の玉抜きストッパー８７ａが開放された後、ステップＳ１７に進む。
【００５７】
一方、ステップＳ１０で優先側「通常」スイッチ１１２ａがＯＮにされていないと判別された場合には（ステップＳ１０のＮＯ）、優先側「大」スイッチ１１１ａがＯＮ状態であるため（ステップＳ１４）、ステップＳ１５で優先側の補給樋シャッター８９ａが開放されると共に、ステップＳ１６で優先側の玉抜きストッパー８７ａが閉塞された後、ステップＳ１７に進む。また、ステップＳ１２で優先側の補給樋センサ８５ａがＯＮしていないと判別された場合も（ステップＳ１２のＮＯ）、ステップＳ１６で優先側の玉抜きストッパー８７ａが閉塞された後、ステップＳ１７に進む。
【００５８】
ステップＳ１７では、非優先側「通常」スイッチ１１２ｂがＯＮにされたか否かが判別される。ステップＳ１７で非優先側「通常」スイッチ１１２ｂがＯＮにされたと判別された場合（ステップＳ１７のＹＥＳ）、ステップＳ１８で非優先側の補給樋シャッター８９ｂが閉塞される。非優先側の補給樋シャッター８９ｂが閉塞されると、ステップＳ１８で非優先側の補給樋センサ８５ｂがＯＮしているか否か、即ち、非優先側の補給樋８０ｂにパチンコ玉が貯留されているか否かが判別される。非優先側の補給樋センサ８５ｂがＯＮしていると判別された場合（ステップＳ１９のＹＥＳ）、ステップＳ２０で非優先側の玉抜きストッパー８７ｂが開放された後、ステップＳ２４に進む。
【００５９】
一方、ステップＳ１７で非優先側「通常」スイッチ１１２ｂがＯＮにされていないと判別された場合には（ステップＳ１７のＮＯ）、非優先側「大」スイッチ１１１ｂがＯＮ状態であるため（ステップＳ２１）、ステップＳ２２で非優先側の補給樋シャッター８９ｂが開放されると共に、ステップＳ２３で非優先側の玉抜きストッパー８７ｂが閉塞された後、ステップＳ２４に進む。また、ステップＳ１９で非優先側の補給樋センサ８５ｂがＯＮしていないと判別された場合も（ステップＳ１９のＮＯ）、ステップＳ２３で非優先側の玉抜きストッパー８７ｂが閉塞された後、ステップＳ２４に進む。
【００６０】
上記したステップＳ１０〜Ｓ２３で示したように、優先側及び非優先側のいずれも「大」スイッチ１１１ａ，１１１ｂをＯＮにすることにより、補給樋シャッター８９ａ，８９ｂが開放されると共に玉抜きストッパー８７ａ，８７ｂが閉塞される。このため、上部タンク４から補給樋８０ａ，８０ｂの上部補給樋８１ａ，８１ｂにパチンコ玉が誘導され、補給樋８０ａ，８０ｂの上部補給樋８１ａ，８１ｂ及び下部補給樋８２ａ，８２ｂ内にパチンコ玉が貯留されることとなる。これにより、パチンコ島台１に設置される稼動状態のパチンコ機２へのパチンコ玉の補給量が多く（例えば、稼働状態のパチンコ機２の台数が多い場合等）、補給樋８０ａ，８０ｂ内でのパチンコ玉の循環スピードが速い場合には、貯留量変更装置によって補給樋８０ａ，８０ｂに貯留されるパチンコ玉の貯留量を予め定めた基準量よりも増加させることで、パチンコ機２へのパチンコ玉の補給が遅れるという事態を回避することができる。
【００６１】
また、優先側及び非優先側のいずれも「通常」スイッチ１１２ａ，１１２ｂをＯＮにすることにより、補給樋シャッター８９ａ，８９ｂが閉塞されると共に、補給樋センサ８５ａ，８５ｂがＯＮしているときには玉抜きストッパー８７ａ，８７ｂが開放される。このため、上部タンク４から補給樋８０ａ，８０ｂの下部補給樋８２ａ，８２ｂにパチンコ玉が誘導されて補給樋８０ａ，８０ｂ内にパチンコ玉が貯留されるが、補給樋８０ａ，８０ｂの上部補給樋８１ａ，８１ｂにはパチンコ玉が誘導されずに上部補給樋８１ａ，８１ｂ内のパチンコ玉が抜き取られることとなる。これにより、パチンコ島台１に設置される稼動状態のパチンコ機２へのパチンコ玉の補給量が少なく（例えば、稼働状態のパチンコ機２の台数が少ない場合等）、補給樋８０ａ，８０ｂ内でのパチンコ玉の循環スピードが遅い場合には、貯留量変更装置によってパチンコ玉の貯留量を基準量に減少させることにより、補給樋８０ａ，８０ｂ内に貯留されるパチンコ玉が必要以上に増加して補給樋８０ａ，８０ｂ内のパチンコ玉の循環が悪くなるという事態を回避することができ、ひいては、遊技者により綺麗なパチンコ玉を提供することができる。なお、補給樋センサ８５ａ，８５ｂがＯＮしていないときには、上部補給樋８１ａ，８１ｂ内にパチンコ玉が貯留されていなので、即ち、補給樋８０ａ，８０ｂ内のパチンコ玉の貯留量が増大状態から基準量まで戻ったので、玉抜きストッパー８７ａ，８７ｂは開放されることなく閉塞される。また、本実施形態においては、上記したように、補給樋８０ａ，８０ｂの下部補給樋８２ａ，８２ｂにパチンコ玉が貯留された場合に、この貯留量を基準量としている。
【００６２】
上記したように、貯留量変更装置によって必要に応じて補給樋８０ａ，８０ｂ内のパチンコ玉の貯留量を増減させることにより、パチンコ機２へのパチンコ玉の補給が遅れるという事態を回避することができると共に、補給樋８０ａ，８０ｂ内のパチンコ玉の貯留量が必要以上に増加して補給樋８０ａ，８０ｂ内のパチンコ玉の循環が悪くなるという事態を回避することができる。
【００６３】
次に、ステップＳ２４では、優先側「通常」スイッチ１１２ａ及び非優先側「通常」スイッチ１１２ｂが両方ともＯＮにされたか否かが判別される。優先側「通常」スイッチ１１２ａ及び非優先側「通常」スイッチ１１２ｂが両方ともＯＮにされていない場合、即ち、一方の「通常」スイッチがＯＮにされていない（一方の「大」スイッチがＯＮにされている）か、あるいは両方の「通常」スイッチがＯＮにされていない（両方の「大」スイッチがＯＮにされている）場合には（ステップＳ２４のＮＯ）、ステップＳ２５で優先側「大」スイッチ１１１ａ及び非優先側「大」スイッチ１１１ｂの両方ともＯＮにされたか否かが判別される。
【００６４】
優先側「大」スイッチ１１１ａ及び非優先側「大」スイッチ１１１ｂが両方ともＯＮにされていない場合、即ち、一方の「大」スイッチがＯＮにされていない（他方の「大」スイッチがＯＮにされている）場合には（ステップＳ２５のＮＯ）、ステップＳ２６で優先側「大」スイッチ１１１ａがＯＮにされているか否かが判別される。優先側「大」スイッチ１１１ａがＯＮにされていないと判別された場合には（ステップ２６のＮＯ）、ステップＳ２７で振分装置６０の振分部材６１が優先側へ移動される。一方、優先側「大」スイッチ１１１ａがＯＮにされていると判別された場合には（ステップＳ２６のＹＥＳ）、ステップＳ２９で振分部材６１が優先側へ移動される。また、ステップＳ２４で優先側「通常」スイッチ１１２ａ及び非優先側「通常」スイッチ１１２ｂの両方ともＯＮにされていない場合（ステップＳ２４のＹＥＳ）又は、ステップＳ２５で優先側「大」スイッチ１１１ａ及び非優先側「大」スイッチ１１１ｂの両方ともＯＮにされている場合には（ステップＳ２５のＹＥＳ）、ステップＳ２８で振分部材６１が中央へ移動される。
【００６５】
即ち、上記したステップＳ２４〜Ｓ２９の処理では、優先側及び非優先側のいずれも「通常」スイッチがＯＮにされた場合、又は優先側及び非優先側のいずれも「大」スイッチがＯＮにされた場合には、振分装置６０の振分部材６１が中央に位置するため、玉揚送装置１０から排出されるパチンコ玉は、優先側の補給樋８０ａ及び非優先側の補給樋８０ｂへ振分部材６１によってほぼ均等に振り分けられる。
【００６６】
また、優先側「大」スイッチ１１１ａだけがＯＮにされた場合には、振分部材６１が非優先側へ移動するため、玉揚送装置１０から排出されるパチンコ玉は、振分部材６１の振分山６６のうち優先側傾斜面６７へ落下する量が増加する。これにより、優先側の補給樋８０ａへ誘導されるパチンコ玉が非優先側の補給樋８０ｂへ誘導されるパチンコ玉よりも多くなるように振り分けられる。
【００６７】
一方、非優先側「大」スイッチ１１１ｂだけがＯＮにされた場合には、振分部材６１が優先側へ移動するため、玉揚送装置１０から排出されるパチンコ玉は、振分部材６１の振分山６６のうち非優先側傾斜面６８へ落下する量が増加する。これにより、非優先側の補給樋８０ｂへ誘導されるパチンコ玉が優先側の補給樋８０ａへ誘導されるパチンコ玉よりも多くなるように振り分けられる。
【００６８】
上記したように、貯留量変更装置によってパチンコ玉の貯留量を基準量よりも増加させることとなった補給樋に積極的にパチンコ玉が振り分けられるため、即ち、多量のパチンコ玉が送られるため、当該補給樋でのパチンコ玉の貯留量の増加を迅速に行なうことができる。
【００６９】
なお、「大」スイッチ１１１ａ，１１１ｂをＯＮにするか、「通常」スイッチ１１２ａ，１１２ｂをＯＮにするかは、パチンコ島台１毎のパチンコ機２の稼動状況によって、遊技店の係員が判断して手動により操作するものである。
【００７０】
また、上記したように、「大」スイッチ１１１ａ，１１１ｂ及び「通常」スイッチ１１２ａ，１１２ｂを操作することにより、補給樋シャッター８９ａ，８９ｂ及び玉抜きストッパー８７ａ，８７ｂを開閉させることができるため、補給樋８０ａ，８０ｂ内のパチンコ玉の循環スピードに応じて（遊技店側の目視による遊技客の滞在状況の観察に基づいて想定した補給樋８０ａ，８０ｂ内のパチンコ玉の循環スピードに応じて）、「大」スイッチ１１１ａ，１１１ｂ及び「通常」スイッチ１１２ａ，１１２ｂを操作するだけで、容易に補給樋８０ａ，８０ｂ内のパチンコ玉の貯留量を増減させることができる。
【００７１】
以上、本実施形態に係るパチンコ島台１及び貯留量変更装置について説明したが、上記した実施形態（第１実施形態）に係る貯留量変更装置は、遊技店の係員が「大」スイッチ１１１ａ，１１１ｂ及び「通常」スイッチ１１２ａ，１１２ｂを手動で操作することにより補給樋シャッター８９ａ，８９ｂ及び玉抜きストッパー８７ａ，８７ｂを開閉させ、補給樋８０ａ，８０ｂ内のパチンコ玉の貯留量を増減させるものを示したが、これに限らず、パチンコ島台１に設置される複数のパチンコ機２から排出されるアウト玉数により補給樋シャッター８９ａ，８９ｂ及び玉抜きストッパー８７ａ，８７ｂを開閉させ、補給樋８０ａ，８０ｂ内のパチンコ玉の貯留量を増減させるものであってもよい。このような実施形態（第２実施形態）について、図９乃至図１１を参照して以下に説明する。図９は、第２実施形態に係るパチンコ島台１の構成を示す概略図であり、図１０は、第２実施形態に係る貯留量変更装置を制御するための制御基板１１５の制御系を示すブロック図であり、図１１は、第２実施形態に係る制御基板１１５によって実行される補給樋貯留量制御処理を示すフローチャートである。なお、第１実施形態に係るパチンコ島台１及び貯留量変更装置と同様の機能を有する部材には、同様の符号を付した。
【００７２】
図９において、第２実施形態に係るパチンコ島台１は、第１実施形態に係るパチンコ島台１のアウト玉回収樋９０ａ，９０ｂの下流端に、パチンコ機２から排出されるアウト玉を検出するためのアウト玉センサ（検出装置）９１ａ，９１ｂが設けられている以外はすべて同様であるため、アウト玉センサ９１ａ，９１ｂ以外の詳細な説明は省略する。
【００７３】
また、図１０において、第２実施形態に係る制御基板１１５は、第１実施形態に係る制御基板１１５に入出力ポート１１９を介してアウト玉センサ９１ａ，９１ｂが接続されている以外はすべて同様であるため、アウト玉センサ９１ａ，９１ｂ以外の詳細な説明は省略する。
【００７４】
図９において、第２実施形態に係るパチンコ島台１では、上記したように、アウト玉回収樋９０ａ，９０ｂの下流端に、パチンコ機２から排出されてアウト玉回収樋９０ａ，９０ｂを流下してきたアウト玉を検出するためのアウト玉センサ９１ａ，９１ｂが設けられており、アウト玉センサ９１ａ，９１ｂで検出されたパチンコ玉数を示す信号が入出力ポート１１９を介して制御基板１１５に送信されるようになっている。
【００７５】
ここで、第２実施形態に係る貯留量変更装置においては、後述するように、上記したアウト玉センサ９１ａ，９１ｂで検出されたパチンコ玉数が「予め定めた数値」以上であるか否かによって、補給樋シャッター８９ａ，８９ｂ及び玉抜きストッパー８７ａ，８７ｂを開閉するものであるが、「予め定めた数値」とは、パチンコ島台１に設置されたパチンコ機２の台数，パチンコ機２の種類，遊技客の数等によって適宜変更されるものであるが、第２実施形態では、この数値を以下のように定めた。なお、第２実施形態では、図１に示すように、１つのパチンコ島台１に両面合わせて２４台のパチンコ機２が設置されており、優先側に、両面合わせて、１２台、非優先側にも同じく、１２台、設置されている場合である。
【００７６】
まずは、優先側の方を考える。パチンコ島台１の優先側には、上記したように、両面合わせて１２台のパチンコ機２が設置されている。この１２台のパチンコ機２のうち、過半数の台数にあたる８台のパチンコ機２が稼働状態（遊技者によって遊技が行われている状態）であるとき、補給樋８０ａ，８０ｂ内でのパチンコ玉の循環スピードが速い場合とし、補給樋８０ａ，８０ｂ内の貯留量を予め定めた基準量より増加させる必要があるとした。そこで、上記した「予め定めた数値」を「８台のパチンコ機２が稼働状態であることを示す数値」とした。なお、「８台のパチンコ機２が稼働状態であることを示す数値」は、以下のようにして算出される
通常、パチンコ機２は、１分間に１００発のパチンコ玉がアウト回収樋９０ａに排出されるため、例えば、サンプリング時間を１５分間とした場合、優先側から排出されるパチンコ玉数は、８×１００×１５＝１２０００個となる。この１２０００個（サンプリング時間１５分の場合）を優先側の「予め定めた数値」として用いる。なお、言うまでもないが、非優先側も、優先側と同じ１２台のパチンコ機２が設置されているため、非優先側の「予め定めた数値」も、１２０００個とする。
【００７７】
以上のようにして求めた予め定めた数値「１２０００」を用いて、貯留量変更装置によって実行される、補給樋８０ａ，８０ｂ内のパチンコ玉の貯留量を変化させる制御について、図１１のフローチャートを参照して説明する。
【００７８】
補給樋貯留量制御処理において、まず、ステップＳ５０でアウト玉数を計数する時間が設定されるタイマーに所定の時間（本実施形態の場合、１５分）がセットされているか否かが判別される。タイマーに所定の時間がセットされていないと判別された場合（ステップＳ５０のＮＯ）、ステップＳ５１でアウト玉数を検出するためのカウンタがリセットされると共に、ステップＳ５２で上記したタイマーに所定の時間がセットされる。カウンタがリセット及びタイマーがセットされると、ステップＳ５３でアウト玉センサ９１ａ，９１ｂによるアウト玉数の検出が開始された後、ステップＳ５４へ進む。一方、ステップＳ５０でタイマーがセットされていると判別された場合は（ステップＳ５０のＹＥＳ）、そのままステップＳ５４へ進む。
【００７９】
ステップＳ５４では、ステップＳ５２でタイマーにセットした１５分が経過したか否かが判別され、１５分が経過していないと判別された場合には（ステップＳ５４のＮＯ）、処理を抜けてステップＳ５０に戻る。即ち、ステップＳ５２でタイマーがセットされた後、１５分経過するまでは次のステップ以降は実行されない。
【００８０】
一方、ステップＳ５４でタイマーにセットした１５分が経過したと判別された場合には（ステップＳ５４のＹＥＳ）、ステップＳ５５で優先側のアウト玉センサ９１ａによって検出されたアウト玉数が１２０００未満であるか否かが判別される。検出されたアウト玉数が１２０００未満であるとステップＳ５５で判別された場合（ステップＳ５５のＹＥＳ）、ステップＳ５６で優先側の補給樋シャッター８９ａが閉塞される。優先側の補給樋シャッター８９ａが閉塞されると、ステップＳ５７で優先側の補給樋センサ８５ａがＯＮしているか否か、即ち、優先側の補給樋８０ａにパチンコ玉が貯留されているか否かが判別される。優先側の補給樋センサ８５ａがＯＮしていると判別された場合（ステップＳ５７のＹＥＳ）、ステップＳ５８で優先側の玉抜きストッパー８７ａが開放された後、ステップＳ６１に進む。
【００８１】
一方、ステップＳ５５で検出されたアウト玉数が１２０００未満でないと判別された場合には（ステップＳ５５のＮＯ）、ステップＳ５９で優先側の補給樋シャッター８９ａが開放されると共に、ステップＳ６０で優先側の玉抜きストッパー８７ａが閉塞された後、ステップＳ６１に進む。また、ステップＳ５７で優先側の補給樋センサ８５ａがＯＮしていないと判別された場合も（ステップＳ５７のＮＯ）、ステップＳ６０で優先側の玉抜きストッパー８７ａが閉塞された後、ステップＳ６１に進む。
【００８２】
ステップＳ６１では、非優先側のアウト玉センサ９１ａによって検出されたアウト玉数が１２０００未満であるか否かが判別される。検出されたアウト玉数が１２０００未満であるとステップＳ６１で判別された場合（ステップＳ６１のＹＥＳ）、ステップＳ６２で非優先側の補給樋シャッター８９ｂが閉塞される。非優先側の補給樋シャッター８９ｂが閉塞されると、ステップＳ６３で非優先側の補給樋センサ８５ｂがＯＮしているか否か、即ち、非優先側の補給樋８０ｂにパチンコ玉が貯留されているか否かが判別される。非優先側の補給樋センサ８５ｂがＯＮしていると判別された場合（ステップＳ６３のＹＥＳ）、ステップＳ６４で非優先側の玉抜きストッパー８７ｂが開放された後、ステップＳ６７に進む。
【００８３】
一方、ステップＳ６１で検出されたアウト玉数が１２０００未満でないと判別された場合には（ステップＳ６１のＮＯ）、ステップＳ６５で非優先側の補給樋シャッター８９ｂが開放されると共に、ステップＳ６６で非優先側の玉抜きストッパー８７ｂが閉塞された後、ステップＳ６７に進む。また、ステップＳ６３で非優先側の補給樋センサ８５ｂがＯＮしていないと判別された場合も（ステップＳ６３７のＮＯ）、ステップＳ６６で非優先側の玉抜きストッパー８７ｂが閉塞された後、ステップＳ６７に進む。
【００８４】
上記したステップＳ５０〜Ｓ６６で示したように、優先側及び非優先側のいずれもアウト玉センサ９１ａ，９１ｂにより検出されたアウト玉数が１２０００未満でない、即ち、１２０００以上であると判別されたことにより、補給樋シャッター８９ａ，８９ｂが開放されると共に玉抜きストッパー８７ａ，８７ｂが閉塞される。このため、上部タンク４から補給樋８０ａ，８０ｂの上部補給樋８１ａ，８１ｂにパチンコ玉が誘導され、補給樋８０ａ，８０ｂの上部補給樋８１ａ，８１ｂ及び下部補給樋８２ａ，８２ｂ内にパチンコ玉が貯留されることとなる。これにより、第１実施形態と同様、パチンコ島台１に設置される稼動状態のパチンコ機２へのパチンコ玉の補給量が多く、補給樋８０ａ，８０ｂ内でのパチンコ玉の循環スピードが速い場合には、貯留量変更装置によって補給樋８０ａ，８０ｂに貯留されるパチンコ玉の貯留量を予め定めた基準量よりも増加させることで、パチンコ機２へのパチンコ玉の補給が遅れるという事態を回避することができる。
【００８５】
また、優先側及び非優先側のいずれもアウト玉センサ９１ａ，９１ｂにより検出されたアウト玉数が１２０００未満であると判別されたことにより、補給樋シャッター８９ａ，８９ｂが閉塞されると共に、補給樋センサ８５ａ，８５ｂがＯＮしているときには玉抜きストッパー８７ａ，８７ｂが開放される。このため、上部タンク４から補給樋８０ａ，８０ｂの下部補給樋８２ａ，８２ｂにパチンコ玉が誘導されて補給樋８０ａ，８０ｂ内にパチンコ玉が貯留されるが、補給樋８０ａ，８０ｂの上部補給樋８１ａ，８１ｂにはパチンコ玉が誘導されずに上部補給樋８１ａ，８１ｂ内のパチンコ玉が抜き取られることとなる。これにより、第１実施形態と同様、パチンコ島台１に設置される稼動状態のパチンコ機２へのパチンコ玉の補給量が少なく、補給樋８０ａ，８０ｂ内でのパチンコ玉の循環スピードが遅い場合には、貯留量変更装置によってパチンコ玉の貯留量を基準量に減少させることにより、補給樋８０ａ，８０ｂ内に貯留されるパチンコ玉が必要以上に増加して補給樋８０ａ，８０ｂ内のパチンコ玉の循環が悪くなるという事態を回避することができ、ひいては、遊技者により綺麗なパチンコ玉を提供することができる。なお、補給樋センサ８５ａ，８５ｂがＯＮしていないときには、上部補給樋８１ａ，８１ｂ内にパチンコ玉が貯留されていなので、即ち、補給樋８０ａ，８０ｂ内のパチンコ玉の貯留量が増大状態から基準量まで戻ったので、玉抜きストッパー８７ａ，８７ｂは開放されることなく閉塞される。また、第２実施形態においても、上記したように、補給樋８０ａ，８０ｂの下部補給樋８２ａ，８２ｂにパチンコ玉が貯留された場合に、この貯留量を基準量としている。
【００８６】
上記したように、貯留量変更装置によって必要に応じて補給樋８０ａ，８０ｂ内のパチンコ玉の貯留量を増減させることにより、第１実施形態と同様、パチンコ機２へのパチンコ玉の補給が遅れるという事態を回避することができると共に、補給樋８０ａ，８０ｂ内のパチンコ玉の貯留量が必要以上に増加して補給樋８０ａ，８０ｂ内のパチンコ玉の循環が悪くなるという事態を回避することができる。
【００８７】
次に、ステップＳ６７では、優先側及び非優先側のアウト玉数が両方とも１２０００未満であるか否かが判別される。優先側及び非優先側のアウト玉数が両方とも１２０００未満でない場合、即ち、一方のアウト玉が１２０００未満か、あるいは両方のアウト玉数が１２０００以上である場合には（ステップＳ６７のＮＯ）、ステップＳ６８で優先側及び非優先側のアウト玉数が両方とも１２０００以上であるか否かが判別される。
【００８８】
優先側及び非優先側のアウト玉数が両方とも１２０００以上でない場合、即ち、一方のアウト玉数が１２０００以上である場合には（ステップＳ６８のＮＯ）、ステップＳ６９で優先側のアウト玉数が１２０００以上であるか否かが判別される。優先側のアウト玉数が１２０００以上でないと判別された場合には（ステップ６９のＮＯ）、ステップＳ７０で振分装置６０の振分部材６１が優先側へ移動される。一方、優先側のアウト玉数が１２０００以上であると判別された場合には（ステップＳ６９のＹＥＳ）、ステップＳ７２で振分部材６１が優先側へ移動される。また、ステップＳ６７で優先側及び非優先側のアウト玉数が両方とも１２０００未満である場合（ステップＳ６７のＹＥＳ）又は、ステップＳ６８で優先側及び非優先側のアウト玉数が両方とも１２０００以上である場合には（ステップＳ６８のＹＥＳ）、ステップＳ７１で振分部材６１が中央へ移動される。
【００８９】
即ち、上記したステップＳ６７〜Ｓ７２の処理では、優先側及び非優先側のアウト玉数が両方とも１２０００未満である場合、又は優先側及び非優先側のアウト玉数が両方とも１２０００以上である場合には、振分装置６０の振分部材６１が中央に位置するため、玉揚送装置１０から排出されるパチンコ玉は、優先側の補給樋８０ａ及び非優先側の補給樋８０ｂへ振分部材６１によってほぼ均等に振り分けられる。
【００９０】
また、優先側のアウト玉数だけが１２０００以上である場合には、振分部材６１が非優先側へ移動するため、玉揚送装置１０から排出されるパチンコ玉は、振分部材６１の振分山６６のうち優先側傾斜面６７へ落下する量が増加する。これにより、優先側の補給樋８０ａへ誘導されるパチンコ玉が非優先側の補給樋８０ｂへ誘導されるパチンコ玉よりも多くなるように振り分けられる。
【００９１】
一方、非優先側のアウト玉数だけが１２０００以上である場合には、振分部材６１が優先側へ移動するため、玉揚送装置１０から排出されるパチンコ玉は、振分部材６１の振分山６６のうち非優先側傾斜面６８へ落下する量が増加する。これにより、非優先側の補給樋８０ｂへ誘導されるパチンコ玉が優先側の補給樋８０ａへ誘導されるパチンコ玉よりも多くなるように振り分けられる。
【００９２】
上記したように、第１実施形態と同様、貯留量変更装置によってパチンコ玉の貯留量を基準量よりも増加させることとなった補給樋に積極的にパチンコ玉が振り分けられるため、即ち、多量のパチンコ玉が送られるため、当該補給樋でのパチンコ玉の貯留量の増加を迅速に行なうことができる。
【００９３】
また、上記したように、パチンコ島台１に設置される複数のパチンコ機２から排出されるアウト玉数によって補給樋シャッター８９ａ，８９ｂ及び玉抜きストッパー８７ａ，８７ｂが開閉するため、補給樋８０ａ，８０ｂ内のパチンコ玉の循環スピードに応じて（パチンコ島台１に設置される複数のパチンコ機２から排出されるアウト玉数に基づいて算出したパチンコ島台１における稼働状態のパチンコ機２の台数から想定した補給樋８０ａ，８０ｂ内のパチンコ玉の循環スピードに応じて）、自動的に補給樋８０ａ，８０ｂ内のパチンコ玉の貯留量を増減させることができる。
【００９４】
なお、上記した第１実施形態及び第２実施形態に係る貯留量変更装置においては、補給樋８０ａ，８０ｂ内のパチンコ玉の貯留量を増加させる所定条件は、それぞれ、スイッチボックス１１０の優先側「大」スイッチ１１１ａあるいは非優先側「大」スイッチ１１１ｂを手動により操作すること、及びアウト玉数が１２０００以上となることであるが、これに限るものではない。例えば、パチンコ機２から送信される入賞玉の検出信号であるセーフ信号、又はパチンコ機２に設けられるアウト玉を回収するアウトボックスから送信されるアウト玉の検出信号であるアウト信号を受信し、この受信した信号に基づいてパチンコ島台１の優先側あるいは非優先側に設置されているパチンコ機２の稼働総台数又は総セーフ数又は総アウト数を算出し、この算出した数値が所定値以上のときに補給樋８０ａ，８０ｂ内のパチンコ玉の貯留量を増加させる条件が成立するようなものであってもよい。
【００９５】
また、上記した第１実施形態及び第２実施形態に係る貯留量変更装置においては、増加させた補給樋８０ａ，８０ｂ内のパチンコ玉の貯留量を減少させる手段として、玉抜きストッパー８７ａ，８７ｂを開放することにより積極的にパチンコ玉を抜き取るものを示したが、これに限らず、例えば、玉抜きストッパー８７ａ，８７ｂを設けず、遊技者がパチンコ機２で遊技を行なうことによって、補給樋８０ａ，８０ｂから自然にパチンコ玉を抜き取るようなものであってもよい。
【００９６】
また、上記した第１実施形態及び第２実施形態に係る玉抜き装置８６ａ，８６ｂは、補給樋８０ａ，８０ｂ内のパチンコ玉を抜き取るものであったが、即ち、上部補給樋８１ａ，８１ｂ及び下部補給樋８２ａ，８２ｂの両方からパチンコ玉を抜き取るものであったが、これに限らず、上部補給樋８１ａ，８１ｂのみからパチンコ玉を抜き取るものであっても良い。この場合、つまり、玉抜き装置８６ａ，８６ｂが上部補給樋８１ａ，８１ｂのみからパチンコ玉を抜き取るものである場合、補給樋８０ａ，８０ｂ内からパチンコ玉が抜き取られるスピードは落ちるというデメリットがあるが、その代わりに、補給樋センサ８５ａ，８５ｂの構成を設けなくてもよくなり、つまり、コスト削減を図ることができるようになるだけでなく、図８及び図１１に示す制御も簡素化できるというメリットがある。
【００９７】
また、上記した第１実施形態及び第２実施形態に係る貯留量変更装置においては、補給樋８０ａ，８０ｂ内のパチンコ玉の貯留量を増加させる所定条件は、それぞれ、スイッチボックス１１０の優先側「大」スイッチ１１１ａあるいは非優先側「大」スイッチ１１１ｂを手動により操作すること、及びアウト玉数が１２０００以上となることであるが、これに限るものではなく、いずれかの所定条件が成立したときに補給樋８０ａ，８０ｂ内のパチンコ玉の貯留量を増加させるものや、あるいは、いずれかの所定条件を選択スイッチで選択するようにし、選択した所定条件が成立したときに補給樋８０ａ，８０ｂ内のパチンコ玉の貯留量を増加させるもの等であってもよい。
【００９８】
また、上記した第１実施形態及び第２実施形態においては、パチンコ島台１に設置される遊技機としてパチンコ機２を示したが、これに限らず、パチンコ玉を使用する遊技機であれば、例えば、パロット，雀球等の遊技機であってもよい。
【図面の簡単な説明】
【００９９】
【図１】複数のパチンコ島台を示す斜視図である。
【図２】実施形態に係る玉磨き揚送装置の斜視図である。
【図３】玉磨き揚送装置が設置された状態での上部タンクの内部を示す斜視図である。
【図４】上部タンクの内部に設置された振分装置及び上部タンク内でのパチンコ玉の流れを示す斜視図である。
【図５】第１実施形態に係るパチンコ島台の構成を示す概略図である。
【図６】パチンコ島台に設けられるスイッチボックスの正面図である。
【図７】第１実施形態に係る貯留量変更装置を制御するための制御基板の制御系を示すブロック図である。
【図８】第１実施形態に係る制御基板によって実行される補給樋貯留量制御処理を示すフローチャートである。
【図９】第２実施形態に係るパチンコ島台の構成を示す概略図である。
【図１０】第２実施形態に係る貯留量変更装置を制御するための制御基板の制御系を示すブロック図である。
【図１１】第２実施形態に係る制御基板によって実行される補給樋貯留量制御処理を示すフローチャートである。
【符号の説明】
【０１００】
１  パチンコ島台（遊技機島台）
２  パチンコ機（遊技機）
４  上部タンク
１０  玉磨き揚送装置（遊技媒体研磨揚送装置）
６０  振分装置
６６  振分山
６７  優先側傾斜面
６８  非優先側傾斜面
８０ａ，８０ｂ  補給樋
８７ａ，８７ｂ  玉抜きストッパー（ストッパー）
８９ａ，８９ｂ  補給樋シャッター（シャッター）
９０ａ，９０ｂ  アウト玉回収樋
９１ａ，９１ｂ  アウト玉センサ（検出装置）
１１１ａ  優先側「大」スイッチ（増加操作スイッチ）
１１１ｂ  非優先側「大」スイッチ（増加操作スイッチ）
１１２ａ  優先側「通常」スイッチ（減少操作スイッチ）
１１２ｂ  非優先側「通常」スイッチ（減少操作スイッチ）
【図１】
2005342367.tif 000003
【図２】
2005342367.tif 000004
【図３】
2005342367.tif 000005
【図４】
2005342367.tif 000006
【図５】
2005342367.tif 000007
【図６】
2005342367.tif 000008
【図７】
2005342367.tif 000009
【図８】
2005342367.tif 000010
【図９】
2005342367.tif 000011
【図１０】
2005342367.tif 000012
【図１１】
2005342367.tif 000013